(57)【要約】      （修正有）【課題】特定の形状に沿って配置された文字列を含む地図画像を拡大したときに、表示が不自然になって文字列が読みにくくなることを防止することができる地図表示装置を提供すること。【解決手段】ナビゲーション装置１は、構成する各文字が所定間隔を有する文字列が、所定形状に沿って配置された地図画像を所定の拡大倍率で拡大して表示する地図表示装置であって、文字列に対応する所定形状を所定の拡大倍率で拡大する形状拡大部１４６と、形状拡大部１４６によって拡大された後の所定形状に沿って、構成する各文字が所定間隔を維持するように文字列を配置する文字列再配置部１４８とを備えている。【選択図】図１
2017102318.tif 000002
【特許請求の範囲】
【請求項１】
構成する各文字が所定間隔を有する文字列が、所定形状に沿って配置された地図画像を所定の拡大倍率で拡大して表示する地図表示装置であって、
前記文字列に対応する前記所定形状を前記拡大倍率で拡大する形状拡大手段と、
前記形状拡大手段によって拡大された後の前記所定形状に沿って、構成する各文字が前記所定間隔を維持するように前記文字列を配置する文字列再配置手段と、
を備えることを特徴とする地図表示装置。
【請求項２】
請求項１において、
拡大後の前記所定形状に沿って再配置される前記文字列は、拡大前の前記所定形状において前記文字列の開始点と終了点で挟まれた区間に対応する拡大後の前記所定形状の区間内に再配置されることを特徴とする地図表示装置。
【請求項３】
請求項１または２において、
拡大後の前記所定形状に沿って再配置される前記文字列の開始点あるいは終了点は、拡大前の前記所定形状において前記文字列の開始点あるいは終了点に対応する位置に配置されることを特徴とする地図表示装置。
【請求項４】
請求項１〜３のいずれか一項において、
拡大前の前記所定形状は、所定の関数を用いて形状が設定されていることを特徴とする地図表示装置。
【請求項５】
請求項４において、
前記所定の関数は、次数ｎの多項式であることを特徴とする地図表示装置。
【発明の詳細な説明】
【技術分野】
【０００１】
本発明は、道路名称等の文字列が含まれる地図画像を表示する地図表示装置に関する。
【背景技術】
【０００２】
従来から、地図画像の含まれる道路名等の文字列を構成する各文字をどこに表示すべきかの位置座標を対応付けておき、各文字をそれぞれの座標の位置に表示するようにした地図表示装置が知られている（例えば、特許文献１参照。）。この地図表示装置では、地図画像を回転させたときに、各文字の角度に応じて文字列の配置順番を入れ替えることにより、自然で読みやすい地図表示を実現している。
【先行技術文献】
【特許文献】
【０００３】
【特許文献１】特開２００２−２９７０２５号公報
【発明の概要】
【発明が解決しようとする課題】
【０００４】
ところで、上述した特許文献１に開示された地図表示装置では、文字列を構成する各文字の位置座標が予め決まっているため、地図画像を拡大した場合に、各文字の間隔も拡大倍率に応じて広くなって、文字列が間延びしてしまい、表示が不自然になって文字列が読みにくくなるという問題があった。特に、道路等の形状に沿って文字列を配置する場合には、拡大時に間延びした文字列の間隔を狭くしようとすると、道路等の形状に沿わなくなってしまうため、不用意に文字列の間隔を変えることで表示の不自然さを改善することはできない。
【０００５】
本発明は、このような点に鑑みて創作されたものであり、その目的は、特定の形状に沿って配置された文字列を含む地図画像を拡大したときに、表示が不自然になって文字列が読みにくくなることを防止することができる地図表示装置を提供することにある。
【課題を解決するための手段】
【０００６】
上述した課題を解決するために、本発明の地図表示装置は、構成する各文字が所定間隔を有する文字列が、所定形状に沿って配置された地図画像を所定の拡大倍率で拡大して表示する地図表示装置であって、文字列に対応する所定形状を拡大倍率で拡大する形状拡大手段と、形状拡大手段によって拡大された後の所定形状に沿って、構成する各文字が所定間隔を維持するように文字列を配置する文字列再配置手段とを備えている。
【０００７】
これにより、道路等の形状に沿って文字列が配置されている場合に道路等を含む地図画像を拡大した場合であっても、拡大された道路等の形状に沿って文字列を、拡大前と同じ文字間隔で再配置することができ、文字列が間延びすることもなくなるため、表示が不自然になって文字列が読みにくくなることを防止することができる。
【０００８】
また、拡大後の所定形状に沿って再配置される文字列は、拡大前の所定形状において文字列の開始点と終了点で挟まれた区間に対応する拡大後の所定形状の区間内に再配置されることが望ましい。これにより、拡大前の文字列を他の文字列と重複しないように配置した場合に、拡大後の文字列も他の文字列と重複しないようにすることができる。
【０００９】
また、拡大後の所定形状に沿って再配置される文字列の開始点あるいは終了点は、拡大前の所定形状において文字列の開始点あるいは終了点に対応する位置に配置されることが望ましい。これにより、再配置される文字列の各文字の位置を一義的に決めることができ、処理の簡略化が可能となる。
【００１０】
また、拡大前の所定形状は、所定の関数を用いて形状が設定されていることが望ましい。所定形状を関数近似することにより、拡大後の所定形状に沿った各文字の位置を計算により求めることが可能になる。
【００１１】
また、上述した所定の関数は、次数ｎの多項式であることが望ましい。これにより、拡大後の所定形状に沿った各文字の位置計算が容易になって、処理の簡略化が可能になる。
【図面の簡単な説明】
【００１２】
【図１】一実施形態のナビゲーション装置の構成を示す図である。
【図２】基準縮尺とそれ以外の表示縮尺との関係を示す図である。
【図３】拡大後の文字列の再配置範囲の説明図である。
【図４】文字列情報の詳細を示す図である。
【図５】地図画像の拡大時に、文字列を構成する各文字を再配置する動作手順を示す流れ図である。
【図６】文字列の２文字目以降を配置する説明図である。
【発明を実施するための形態】
【００１３】
以下、本発明の地図表示装置を適用した一実施形態のナビゲーション装置について、図面を参照しながら説明する。
【００１４】
図１は、一実施形態のナビゲーション装置の構成を示す図である。図１に示すナビゲーション装置は、ナビゲーションコントローラ１、地図データ記憶装置３、操作部４、車両位置検出部５、表示装置６、オーディオ部７を含んで構成されている。このナビゲーション装置は、車両に搭載されている。
【００１５】
ナビゲーションコントローラ１は、ＣＰＵ、ＲＯＭ、ＲＡＭ等を用いて所定の動作プログラムを実行することにより、自車位置周辺の地図画像表示動作や施設検索動作、経路探索・誘導動作などの各種機能を実現する。ナビゲーションコントローラ１の詳細構成については後述する。
【００１６】
地図データ記憶装置３は、地図表示、施設検索、経路探索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。
【００１７】
この地図データは、経緯度で表現された点（ノード）の座標集合で表されており、また、道路は２以上のノードの連結からなり、２つのノードを連結した部分はリンクと呼ばれる。地図データは、道路リスト、ノードテーブル、交差点構成ノードリスト、交差点ネットリスト等からなるマップマッチング用および経路探索用の道路データ、地図画面上に道路、公園、河川、目印となる建物や施設等の各種物件を表示するための背景データ、市町村名などの行政区画名、道路名、交差点名、建物の名前等の文字や地図記号等を表示するための文字・記号データなどから構成されている。
【００１８】
地図データを構成する各種データのうち本発明に関連するのは文字・記号データであり、この文字・記号データには、所定形状（例えば、道路形状、鉄道形状、河川形状など）に沿って配置される文字列の内容・位置を特定するための文字列情報が含まれている。文字列情報の詳細については後述する。
【００１９】
地図データ記憶装置３は、ハードディスク装置や半導体メモリによって、あるいは、ＤＶＤとその読み取り装置によって実現される。また、地図データ記憶装置３を通信装置に置き換えて、外部の地図配信サーバ（図示せず）から地図データを取得するようにしてもよい。
【００２０】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。車両位置検出部５は、例えば、ＧＰＳ受信機、方位センサ、距離センサなどを備えており、所定のタイミングで車両位置（経度、緯度）の検出を行い、検出結果を出力する。
【００２１】
表示装置６は、例えばＬＣＤ（液晶表示装置）によって構成されており、ナビゲーションコントローラ１から出力される映像信号に基づいて自車位置周辺の地図画像や交差点案内画像、あるいは、施設検索によって得られた施設やその周辺駐車場が含まれる検索結果画像などを表示する。例えば、この表示装置６は、ダッシュボード中央あるいはダッシュボード上に配置されたナビゲーション装置の筐体と一体になっている。なお、表示装置６は、ナビゲーション装置の筐体とは分離し、運転者の見やすい位置に離して配置するようにしてもよい。オーディオ部７は、ナビゲーションコントローラ１から入力される音声信号に基づいて生成した案内音声等を車室内に出力する。
【００２２】
次に、ナビゲーションコントローラ１の詳細構成について説明する。図１に示すナビゲーションコントローラ１は、地図バッファ１０、地図読出制御部１２、地図描画部１４、車両位置計算部２０、目的地設定部２２、経路探索処理部２４、経路誘導処理部２６、入力処理部３０、表示処理部４０を含んで構成されている。
【００２３】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。地図描画部１４の詳細については後述する。
【００２４】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２５】
目的地設定部２２は、経路探索処理の目的地を設定する。例えば、目的地設定部２２は、利用者によって指定される検索条件を満足する施設を検索して目的地として設定する。経路探索処理部２４は、出発地と目的地（あるいは経由地）との間を所定の探索条件にしたがって結ぶ走行経路（誘導経路）を探索する。経路誘導処理部２６は、経路探索処理部２４による探索処理によって得られた誘導経路を地図上に重ねて表示したり、右左折交差点の拡大図を表示するための誘導経路描画データを作成するとともに、誘導経路に沿って車両を誘導するために必要な交差点案内等の音声信号を生成する。
【００２６】
入力処理部３０は、操作部４から入力される各種の操作指示に対応する動作を行うための命令をナビゲーションコントローラ１内の各部に向けて出力する。表示処理部４０は、地図描画部１４によって作成される地図画像描画データが入力されており、この描画データに基づいて所定範囲の地図画像を表示装置６の画面に表示する。
【００２７】
次に、地図描画部１４の詳細について説明する。図１に示すように、地図描画部１４は、背景描画部１４０、文字・記号描画部１４２を備えている。本実施形態では、表示対象となる地図画像は、背景画像とこの背景画像に重ねて表示される文字や記号等によって構成されているものとする。
【００２８】
背景描画部１４０は、地図データに含まれる背景データに基づいて、海、湖、森林、田、畑、建物、道路、線路、河川などの背景画像を描画する。文字・記号描画部１４２は、地図データに含まれる文字・記号データに基づいて、背景画像上に重ねて配置される道路名、線路名、河川名、地名、建物名等あるいは地図記号等の各種の文字列や記号を描画する。
【００２９】
本実施形態では、地図画像の表示縮尺の変更は、ある範囲については基準縮尺を有する背景画像を拡大することにより行われる。図２は、基準縮尺とそれ以外の表示縮尺との関係を示す図である。図２に示すように、広域表示から詳細表示までの広い範囲で表示縮尺が変更可能である場合に、複数の基準縮尺Ａ〜Ｇが設定されており、それぞれの基準縮尺に対応する背景データや文字・記号データが用意されている。なお、各基準縮尺に対応する背景データは、ビットマップ形式やＪＰＥＧ形式で持つ場合や、ポリゴンデータとテクスチャデータを組み合わせる場合、これらを組み合わせる場合など様々なものが考えられるが、本発明では背景データの種類については特に限定されない。
【００３０】
また、隣接する基準縮尺間、例えば基準縮尺Ｃと基準縮尺Ｄの間の表示縮尺の背景画像を表示する場合には、表示縮尺が小さい側の基準縮尺Ｃの背景画像を拡大することにより行われる。表示したい背景画像の表示縮尺をＣ’とすると、この背景画像は、基準縮尺Ｃの背景画像を拡大倍率（Ｃ／Ｃ’）で拡大すればよい。このような背景画像の拡大は背景描画部１４０によって行われる。
【００３１】
また、文字列や記号については、大きさは変えずに、拡大後の背景画像上に重ねて配置される。特に、拡大前の背景画像に含まれる道路等に沿って配置されていた文字列については、拡大後の背景画像に含まれる道路等に沿うように、かつ、文字列を構成する各文字の間隔が広がらないように（間延びしないように）各文字の再配置が行われる。
【００３２】
このような所定形状に沿った文字列を構成する各文字の再配置を行うために、文字・記号描画部１４２は、拡大倍率計算部１４４、形状拡大部１４６、文字列再配置部１４８を備える。
【００３３】
拡大倍率計算部１４４は、表示縮尺が変更されたときに、変更後の表示縮尺に最も近く、変更後の表示縮尺よりも小さい基準縮尺を特定し、縮尺変更の前後の比を拡大倍率として計算する。上述した表示縮尺Ｃ’に変更する場合を考えると、表示縮尺Ｃ’よりも小さい最も近い基準縮尺はＣであり、拡大倍率（Ｃ／Ｃ’）が計算される。
【００３４】
形状拡大部１４６は、文字列に対応する所定形状を、拡大倍率計算部１４４による計算により得られた拡大倍率で拡大する。拡大前の所定形状は、所定の関数、望ましくは、次数ｎの多項式を用いて形状が設定されている。例えば、多項式の次数をｎ、多項式の各項の係数をａn、ａn-1、ａn-2、・・・、ａ1、ａ0とすると、この多項式は以下のように表すことができる。
【００３５】
ａnｘn＋ａn-1ｘn+1＋ａn-2ｘn+2＋・・・＋ａ1＋ａ0          ・・・（１）
文字列再配置部１４８は、形状拡大部１４６によって拡大された後の所定形状に沿って、構成する各文字が、拡大前の文字列と同じ所定間隔を維持するように文字列を配置する。拡大後の所定形状に沿って再配置される文字列は、拡大前の所定形状において文字列の開始点と終了点で挟まれた区間に対応する拡大後の所定形状の区間内に再配置される。具体的には、拡大後の所定形状に沿って再配置される文字列の開始点あるいは終了点は、拡大前の所定形状において文字列の開始点あるいは終了点に対応する位置に配置される。
【００３６】
図３は、拡大後の文字列の再配置範囲の説明図である。図３（Ａ）には、拡大後の所定形状の区間内の中間位置に文字列が配置された例が示されている。図３（Ｂ）には、拡大前後の所定形状の区間内において文字列の開始点を合わせた例が示されている。図３（Ｃ）には、拡大前後の所定形状の区間内において文字列の終了点を合わせた例が示されている。
【００３７】
上述した形状拡大部１４６が形状拡大手段に、文字列再配置部１４８が文字列再配置手段にそれぞれ対応する。
【００３８】
本実施形態のナビゲーション装置はこのような構成を有しており、次に、その動作を説明する。
【００３９】
図４は、文字列情報の詳細を示す図である。図４に示すように、文字列情報には、「文字列」、「基準縮尺配置開始点」、「基準縮尺配置終了点」、「多項式の次数」、「多項式係数列」が含まれている。「文字列」は、文字列を構成する各文字を特定する情報であり、各文字に対応する文字コードが含まれている。「基準縮尺配置開始点」は、文字列の先頭文字の位置を、基準縮尺の地図画像上での座標で示したものである。「基準縮尺配置終了点」は、文字列の最終文字の位置を、基準縮尺の地図画像上での座標で示したものである。「多項式の次数」は、文字列に対応する所定形状を近似した多項式の次数ｎであり、具体的な数字がｎの値として設定される。「多項式係数列」は、ｎ次多項式の各項の係数であり、（１）式に示す多項式の係数ａn、ａn-1、ａn-2、・・・、ａ1、ａ0が含まれる。例えば、ｎが３の場合には、４つの係数ａ3、ａ2、ａ1、ａ0の具体的な値が含まれる。
【００４０】
図５は、地図画像の拡大時に、文字列を構成する各文字を再配置する動作手順を示す流れ図である。この動作手順は、表示画面が更新される周期（例えば、１／３０秒毎）で繰り返し実施される。また、この動作手順は、所定形状に沿って配置される１つの文字列に着目したものであって、背景画像に重ねて配置される文字列が複数存在する場合には、各文字列について同様の動作が行われる。
【００４１】
まず、拡大倍率計算部１４４は、表示縮尺が基準縮尺に対して変更されているか否かを判定する（ステップ１００）。変更されている場合には肯定判断が行われる。次に、拡大倍率計算部１４４は、基準縮尺と変更後の表示縮尺とに基づいて、文字列に対応する所定形状の拡大倍率を計算する（ステップ１０２）。例えば、図２に示す例では、表示縮尺Ｃ’と基準縮尺Ｃとに基づいて、拡大倍率Ｍ（＝Ｃ／Ｃ’）が計算される。
【００４２】
次に、形状拡大部１４６は、文字列に対応する所定形状をステップ１０２で計算した拡大倍率Ｍで拡大する（ステップ１０４）。例えば、（１）式をｆ（ｘ）として、この関数ｆ（ｘ）を用いて所定形状を近似した場合を考えると、基準縮尺の表示画像における各文字列の座標（ｘ、ｙ）は、
ｙ＝ｆ（ｘ）                                              ・・・（２）
で計算することができる。なお、関数ｆ（ｘ）をできるだけ単純なものとするために、基準縮尺配置開始点と基準縮尺配置終了点の両方がＸ軸（水平軸）上に配置されるように文字列の各文字の位置を回転するとともに、基準縮尺配置開始点を座標の原点（０，０）に置き換えた後に、（２）式の関数ｆ（ｘ）が定義されている。したがって、最終的に各文字の座標（ｘ、ｙ）が計算によって得られた後に、再度反対向きに各文字の位置を回転させるとともに、基準縮尺配置開始点の座標を原点に置き換えた分元に戻すための座標変換が必要であるが、説明を簡略化するため、このらの操作については説明を省略する。
【００４３】
（２）式で示される関数で近似された所定形状を、ｘ軸方向およびｙ軸方向にＭ倍すると、拡大後の所定形状に沿った位置の座標（ｘ、ｙ）は、
ｙ＝Ｍ×ｆ（ｘ／Ｍ）                                        ・・・（３）
で計算することができる。
【００４４】
次に、文字列再配置部１４８は、文字列の１文字目について所定形状に沿った配置を決定する（ステップ１０６）。なお、図３（Ｂ）に示すケース（拡大前後の所定形状の区間内において文字列の開始点を合わせた場合）では、拡大後の所定形状の一方端である原点（０，０）の位置に文字列の１文字目（先頭文字）の位置が配置される。
【００４５】
次に、文字列再配置部１４８は、文字列の２文字目について所定形状に沿った位置を決定する（ステップ１０８）。
【００４６】
図６は、文字列の２文字目以降を配置する説明図である。図６において、Ｐ１は１文字目の配置の中心位置を、Ｔ１は文字列の１文字目の文字の表示範囲をそれぞれ示している。各文字には、互いに重ならないで配置することができる隣接文字の中心位置を指定するための枠Ｗが設定されている。文字列再配置部１４８は、１文字目の文字に対応して設定された枠Ｗと、拡大後の関数Ｍ×ｆ（ｘ／Ｍ）とが交差する位置Ｐ２を２文字目の位置の中心位置に設定する。なお、このようにして隣接する文字の位置を決定する手順は、拡大後の所定形状に沿って文字列を配置する場合だけでなく、拡大前の所定形状に沿って文字列を配置する場合も同じであり、その結果、拡大前後で文字列を構成する各文字の間隔を同じにすることができる。
【００４７】
次に、文字列再配置部１４８は、次の文字があるか否かを判定する（ステップ１１０）。３文字目以降が存在する場合には肯定判断が行われる。次に、文字列再配置部１４８は、２文字目の配置を決定した手順と同様にして、次の文字の位置を決定する（ステップ１１２）。その後、ステップ１１０に戻って次の文字の有無判定以降の動作が繰り返される。
【００４８】
また、文字列を構成する全ての文字の位置が決定するとステップ１１０の判定において否定判断が行われ、拡大した地図画像に含まれる拡大後の所定形状に沿った文字列の再配置動作が終了する。
【００４９】
なお、表示縮尺が変更されずに基準縮尺の地図画像表示が行われている場合にはステップ１００の判定において否定判断が行われ、ステップ１０２、１０４における所定形状の拡大はせず、直ちにステップ１０６に移行する。この場合には、拡大後の所定形状に対応する関数（Ｍ×ｆ（ｘ／Ｍ））ではなく、拡大前の所定形状に対応する関数（ｆ（ｘ））を用いて、文字列を構成する各文字の配置を行えばよい。
【００５０】
このように、本実施形態のナビゲーション装置では、道路等の形状に沿って文字列が配置されている場合に道路等を含む地図画像を拡大した場合であっても、拡大された道路等の形状に沿って文字列を、拡大前と同じ文字間隔で再配置することができ、文字列が間延びすることもなくなるため、表示が不自然になって文字列が読みにくくなることを防止することができる。
【００５１】
また、拡大後の所定形状に沿って再配置される文字列を、拡大前の所定形状において文字列の開始点と終了点で挟まれた区間に対応する拡大後の所定形状の区間内に再配置することにより（図３（Ａ））、拡大前の文字列を他の文字列と重複しないように配置した場合に、拡大後の文字列も他の文字列と重複しないようにすることができる。
【００５２】
また、拡大後の所定形状に沿って再配置される文字列の開始点あるいは終了点を、拡大前の所定形状において文字列の開始点あるいは終了点に対応する位置に配置することにより（図３（Ｂ）、（Ｃ））、再配置される文字列の各文字の位置を一義的に決めることができ、処理の簡略化が可能となる。
【００５３】
また、文字列に対応する拡大前の所定形状を関数近似することにより、拡大後の所定形状に沿った各文字の位置を計算により求めることが可能になる。また、この関数を次数ｎの多項式とすることにより、拡大後の所定形状に沿った各文字の位置計算が容易になって、処理の簡略化が可能になる。
【００５４】
なお、本発明は上記実施形態に限定されるものではなく、本発明の要旨の範囲内において種々の変形実施が可能である。例えば、上述した実施形態では、地図画像を拡大した際に、文字列を構成する各文字の順番を維持するようにしたが、ヘディングアップで地図画像を表示する際に車両の向きとともに地図画像が回転するような場合には、文字列を左から右へ、あるいは、上から下に読むことができるように、必要に応じて文字列の順番を入れ替えるようにしてもよい。このような場合であっても、拡大後の所定形状に沿って文字列を構成する各文字を再配置する動作自体には変わりがないため、本発明を適用することができる。
【００５５】
また、上述した実施形態では、車両に搭載されたナビゲーション装置に本発明を適用したが、携帯端末装置で実行する地図アプリケーションにおいて地図画像を拡大する場合や、パーソナルコンピュータ等で実行する地図アプリケーションにおいて地図画像を拡大する場合についても本発明を適用することができる。
【産業上の利用可能性】
【００５６】
上述したように、本発明によれば、道路等の形状に沿って文字列が配置されている場合に道路等を含む地図画像を拡大した場合であっても、拡大された道路等の形状に沿って文字列を、拡大前と同じ文字間隔で再配置することができ、文字列が間延びすることもなくなるため、表示が不自然になって文字列が読みにくくなることを防止することができる。
【符号の説明】
【００５７】
１  ナビゲーションコントローラ
３  地図データ記憶装置
６  表示装置
１０  地図バッファ
１２  地図読出制御部
１４  地図描画部
２０  車両位置計算部
４０  表示処理部
１４０  背景描画部
１４２  文字・記号描画部
１４４  拡大倍率計算部
１４６  形状拡大部
１４８  文字列再配置部
【図１】
2017102318.tif 000003
【図２】
2017102318.tif 000004
【図３】
2017102318.tif 000005
【図４】
2017102318.tif 000006
【図５】
2017102318.tif 000007
【図６】
2017102318.tif 000008